(57)【要約】【課題】複数の有機ＥＬパネルを平面的に配列してなる表示ユニットを、さらに複数配列することにより構成される大型表示装置において、機械的強度の向上を図る。【解決手段】表示ユニット４は、細長い矩形の有機ＥＬパネル５を該パネルの長手方向に平行な方向に配列したものであり、透明保護フィルム１１ａ、・・１１ｄは、有機ＥＬパネル５の長手方向に直交する方向に貼り付けられる。その時、隣り合う領域に貼り付けられる透明保護フィルム１１の継ぎ目を、画素間の非発光部である画素間ギャップに配置することにより、継ぎ目は目立たず、画質への影響は抑制される。【選択図】図４
2014157206.tif 000002
【特許請求の範囲】
【請求項１】
複数の画素を有する画素部の周辺に封止部を設けた複数の平面表示パネルを平面的に配列し、光の出射側と反対側の面を共通の支持部材で固定した表示ユニットを備え、複数の前記表示ユニットを平面的に配列して表示部を構成した大型表示装置であって、
前記各表示ユニットは、その光の出射側の面に、該表示ユニットに含まれる複数の前記平面表示パネルに跨るように貼り付けられた透明保護フィルムを有することを特徴とする大型表示装置。
【請求項２】
前記透明保護フィルムは、前記表示ユニットに含まれる全ての前記平面表示パネルに跨るように貼り付けられたことを特徴とする請求項１記載の大型表示装置。
【請求項３】
前記表示ユニットの光の出射側の面の全ての領域に対し、１枚の前記透明保護フィルムが貼り付けられたことを特徴とする請求項２記載の大型表示装置。
【請求項４】
前記表示ユニットの光の出射側の面を複数に分割したそれぞれの領域に対し、該領域の幅と同じ幅の前記透明保護フィルムが貼り付けられたことを特徴とする請求項１または請求項２に記載の大型表示装置。
【請求項５】
隣り合う前記領域に貼り付けられる前記透明保護フィルムの継ぎ目を、前記画素間の非発光部に配置したことを特徴とする請求項４記載の大型表示装置。
【請求項６】
前記表示ユニットは、細長い矩形の前記平面表示パネルを該矩形の長辺同士が向き合うように複数配列したものであり、前記透明保護フィルムは、前記平面表示パネルの長手方向に直交する方向に貼り付けられたことを特徴とする請求項１記載の大型表示装置。
【請求項７】
前記表示ユニットは、細長い矩形の前記平面表示パネルを該矩形の長辺同士が向き合うように複数配列したものであり、前記透明保護フィルムは、隣り合う前記平面表示パネルに跨りそれらの継ぎ目を覆うように前記平面表示パネルの長手方向に平行な方向に貼り付けられたことを特徴とする請求項１記載の大型表示装置。
【請求項８】
前記透明保護フィルムは、その片側の面に接着層を有することを特徴とする請求項１から請求項７のいずれか一項に記載の大型表示装置。
【請求項９】
前記透明保護フィルムは、反射防止フィルムの機能を有することを特徴とする請求項１から請求項８のいずれか一項に記載の大型表示装置。
【請求項１０】
前記透明保護フィルムは、偏光板の機能を有することを特徴とする請求項１から請求項９のいずれか一項に記載の大型表示装置。
【請求項１１】
前記透明保護フィルムは、拡散板の機能を有することを特徴とする請求項１から請求項１０のいずれか一項に記載の大型表示装置。
【請求項１２】
前記平面表示パネルは、有機エレクトロルミネッセンス素子を有することを特徴とする請求項１から請求項１１のいずれか一項に記載の大型表示装置。
【発明の詳細な説明】
【技術分野】
【０００１】
本発明は、複数の平面表示パネルを平面的に配列してなる表示ユニットを備え、複数の表示ユニットを平面的に配列して表示部を構成した大型表示装置に関する。
【背景技術】
【０００２】
近年、大型表示装置の表示素子として発光ダイオード（ＬＥＤ）が主流となっており、３原色のＬＥＤの配置や配列ピッチを任意に設計することにより、用途に応じて様々な解像度や輝度の大型表示装置が構成されている。特に最近は、Ｒ、Ｇ、Ｂの３色のＬＥＤチップを１つのＬＥＤランプ内に内蔵した「３in１」と呼ばれるＬＥＤが登場し、Ｒ、Ｇ、Ｂの３個のＬＥＤを配列する方式に比べて３色が混色し易いため、視距離が短い場合にも適用が可能となっている。
【０００３】
一方、ＬＥＤは、解像度を高くするために高画素密度で配列すると、単位面積当たりの素子数が増加し、コストが急激に高くなる。このため、高解像度の大型表示装置には、有機エレクトロルミネッセンスパネル（以下、有機ＥＬパネルと称す）のような高画素密度の平面表示パネルを表示素子として用い、複数の平面表示パネルを有する表示ユニットを形成し、さらにこの表示ユニットを複数配列するという方式が検討されている。
【０００４】
有機ＥＬパネルのような平面表示パネルは、その周辺部に電極の引き出し部や封止部等の非発光部を有している。このため、平面表示パネルを平面的に配列すると、継ぎ目である非発光部が目立ち易いという問題があり、特に高解像度の大型表示装置では顕著であった。このような問題を解決するため、特許文献１では、複数の有機ＥＬパネルを支持体で支持する際に、有機ＥＬパネルの非発光部の一部を重ね合わせて配列することにより、継ぎ目が目立ちにくい構造を実現している。
【０００５】
また、平面表示パネルを重ね合わせること無く平面状に配列したものとして、技術文献１には、有機ＥＬパネルの電極の引き出し部や周辺の封止部の幅を極限まで縮小することで、有機ＥＬパネルを目地レスで配列した大型表示装置が提示されている。
【０００６】
また、特許文献２には、ＥＬ素子を有する複数の小型パネルの光の出射側に、接着剤層を介して大型基板を貼り付けることにより大型化し、十分な機械的強度を有するようにしたＥＬ表示装置が提示されている。この例では、大型基板として、通常は厚みが２００μｍ以下である反射防止フィルムの厚みを５００μｍ以上として強度を高めた支持フィルムを用いている。
【先行技術文献】
【特許文献】
【０００７】
【特許文献１】特許第４９１３３２３号公報
【特許文献２】特開２００１−１００６６８号公報
【非特許文献】
【０００８】
【非特許文献１】Z. Hara et al. “The High Performance Scalable Display with Passive OLEDs”, SID 10 DIGEST, pp357-360 (2010)
【発明の概要】
【発明が解決しようとする課題】
【０００９】
上記特許文献１で提示されたような平面表示パネルの一部を重ね合わせて配列する方法では、表示面に細かな多数の段差が生じることは構造上免れることができず、表示品質の点で表示面には段差がない方が望ましい。また、パネルの一部を重ね合わせて保持するための支持体の構造に工夫が必要であり、平面的に配列する方が構造上容易である。
【００１０】
しかし、技術文献１に提示されたように、有機ＥＬパネルを平面的に配列するためには、継ぎ目の非発光部が目立たないように封止部の幅を極限まで縮小する必要がある。有機ＥＬパネルは、発光部が形成された前面ガラスと発光部をカバーする裏面ガラスで形成されており、これらはパネル周辺の封止部で貼り合わされている。このため、封止部の幅を狭くすると、有機ＥＬパネルの機械的強度が低下するという問題があった。大型表示装置は公共の場に設置されることも多く、パネルに衝撃が加わった時の安全対策としてパネルの機械的強度の確保は重要な課題である。
【００１１】
一方、特許文献２に提示されたＥＬ表示装置では、１枚の大型基板に複数の小型パネルを貼り付けて大型化し、十分な機械的強度を有するようにしているため、大型基板自体に十分な剛性と機械的強度が求められる。そのような大型基板を用いることにより、薄型軽量が特徴であるＥＬ表示装置の厚み及び重量の増加やコストの上昇という問題が生じる。さらに、大型基板または小型基板の貼り付け面の全面並びに小型パネルの端面に接着剤を均一に塗布し、精度良く貼り合わせるという工程が必要となり、製造工程が煩雑化するという問題がある。
【００１２】
本発明は、上記のような課題を解決するためになされたものであり、複数の平面表示パネルを平面的に配列してなる表示ユニットを、さらに複数配列することにより構成される大型表示装置において、コストの上昇及び製造工程の煩雑化を抑制しながら機械的強度の向上を図ることを目的とする。
【課題を解決するための手段】
【００１３】
本発明に係る大型表示装置は、複数の画素を有する画素部の周辺に封止部を設けた複数の平面表示パネルを平面的に配列し、光の出射側と反対側の面を共通の支持部材で固定した表示ユニットを備え、複数の表示ユニットを平面的に配列して表示部を構成した大型表示装置であって、各表示ユニットは、その光の出射側の面に、該表示ユニットに含まれる複数の平面表示パネルに跨るように貼り付けられた透明保護フィルムを有するものである。
【発明の効果】
【００１４】
本発明に係る大型表示装置によれば、各表示ユニットの光の出射側の面に、該表示ユニットに含まれる複数の平面表示パネルに跨るように透明保護フィルムを貼り付けることにより、隣り合う平面表示パネルが透明保護フィルムを介して互いに保持し合うようにしたので、外部からの衝撃により１つの平面表示パネルの封止部が損傷した場合でも、該パネルの剥離を防止することができる。また、透明保護フィルムは、各表示ユニット単位で貼り付けられるため、大型表示装置の表示部に対応するような大面積のフィルムである必要がなく、安価で入手可能である。さらに、貼り付け作業は手作業で容易に行うことができるため、コストの上昇及び製造工程の煩雑化を抑制しながら、機械的強度の向上を図ることが可能である。
【図面の簡単な説明】
【００１５】
【図１】本発明の実施の形態１に係る大型表示装置を説明する図である。
【図２】本発明の実施の形態１に係る表示ユニットを示す斜視図である。
【図３】本発明の実施の形態１に係る表示ユニットの構成を示す分解斜視図である。
【図４】本発明の実施の形態２に係る表示ユニットの構成を示す分解斜視図である。
【図５】本発明の実施の形態２に係る表示ユニットを示す平面図である。
【図６】本発明の実施の形態３に係る表示ユニットの構成を示す分解斜視図である。
【図７】本発明の実施の形態３に係る表示ユニットを示す平面図である。
【発明を実施するための形態】
【００１６】
実施の形態１．
以下に、本発明の実施の形態１に係る大型表示装置について、図面に基づいて説明する。図１は、本実施の形態１に係る大型表示装置を説明する図であり、（ａ）は全体を示す斜視図、（ｂ）は大型表示装置を構成する表示ユニットを示す平面図、（ｃ）は表示ユニットを構成する平面表示パネルを示す平面図である。なお、図中、同一、相当部分には同一符号を付している。
【００１７】
図１（ａ）に示すように、大型表示装置１は、表示部２とフレーム３を有し、表示部２は、格子状に配列された複数の表示ユニット４により構成されている。また、各表示ユニット４は、表示素子としての平面表示パネルである有機ＥＬパネル５を、平面的に複数配列して構成される。本実施の形態１に係る表示ユニット４は、図１（ｂ）に示すように、細長い矩形の有機ＥＬパネル５を、該矩形の長辺同士が向き合うように４枚配列したものである。
【００１８】
有機エレクトロルミネッセンス素子を有する有機ＥＬパネル５は、図１（ｃ）に示すように、フルカラーの映像を表示するために少なくともＲ、Ｇ、Ｂの３原色を含む複数の画素６が格子状に配置された画素部（有機ＥＬ発光層）を有し、その周辺には封止部７が設けられている。有機ＥＬパネル５の発光層が形成された前面ガラスと、発光層をカバーする裏面ガラスは、パネル周辺の封止部７で貼り合わされている。
【００１９】
次に、本実施の形態１に係る表示ユニット４について、図２及び図３を用いて説明する。図２に示すように、表示ユニット４は、４枚の有機ＥＬパネル５ａ、５ｂ、５ｃ、５ｄ（総称して有機ＥＬパネル５）を平面的に配列したものである。有機ＥＬパネル５には、各パネルの電極を引き出すフィルム状部材であるフレキシブルプリント基板（ＦＰＣ）８が設けられている。
【００２０】
また、図３に示すように、表示ユニット４は、その光の出射側と反対側の面を、４枚の有機ＥＬパネル５ａ、５ｂ、５ｃ、５ｄ共通の支持部材である板材９で固定されている。各有機ＥＬパネル５と板材９との固定には、接着剤または両面テープが用いられる。板材９の背面側には、有機ＥＬパネル５の駆動回路を実装した駆動回路基板１０が設けられ、各有機ＥＬパネル５と駆動回路基板１０はＦＰＣ８を介して接続される。
【００２１】
表示ユニット４の光の出射側の面には、該表示ユニット４に含まれる複数の有機ＥＬパネル５に跨る透明保護フィルム１１が貼り付けられる。本実施の形態１では、表示ユニット４の光の出射側の面の全ての領域に対し、１枚の透明保護フィルム１１を貼り付けている。すなわち、透明保護フィルム１１は、表示ユニット４に含まれる全ての有機ＥＬパネル５に跨っている。
【００２２】
透明保護フィルム１１は、その片側の面に接着層（粘着層）を有しており、隣り合う有機ＥＬパネル５は、透明保護フィルム１１を介して互いに保持し合っている。このように、複数の有機ＥＬパネル５に対して共通の透明保護フィルム１１を貼り付けることにより、一枚の有機ＥＬパネル５に外部から衝撃が加わりその封止部７が損傷しても、該パネルの前面ガラスは透明保護フィルム１１により保持されているため剥離しない。なお、裏面ガラスは共通の板材９で保持されているため、封止部７が損傷しても剥離しない。
【００２３】
透明保護フィルム１１の主な構成材料としては、例えばポリエチレンテレフタレート（ＰＥＴ）が用いられる。入手が容易な市販のＰＥＴフィルム（例えば日油株式会社製リアルックシリーズ）を用いることができる。また、透明保護フィルム１１は、剥離フィルム／粘着層／ＰＥＴフィルム／保護フィルムのように複数の層を有するものであっても良い。厚みは特に限定しないが、実用的な厚みとして例えば１００μｍ程度のものが用いられる。
【００２４】
また、透明保護フィルム１１は、大型表示装置１の表示部２を構成する部材として必要な光学特性、物理特性及び耐久性を備えている必要がある。光学特性としては、視感度反射率が小さく、全光線透過率が大きいものが好ましい。また、物理的特性として密着性、表面硬度、及び粘着力等、耐久性として耐熱性、耐湿熱性、耐寒性等が、所定の基準を満たしていることが必要である。
【００２５】
さらに、大型表示装置１は、屋外のような明るい環境で使用される場合、外光の反射において鏡面反射の成分が発生し画質に影響する。これを防止するには、反射防止フィルムを兼ねた透明保護フィルム１１を用いることが効果的である。反射防止フィルムとしては、ＡＧ（Anti-Glare）フィルム、ＡＲ（Anti-Reflection）フィルム、ＡＧＡＲフィルム等が適用される。特に有機ＥＬパネル５のような平面表示パネルを配列する方式では、個々のパネルが僅かに傾斜しており、この傾斜による反射のばらつきの影響を軽減するために、反射防止フィルムが有効である。
【００２６】
また、透明保護フィルム１１は、反射防止フィルムの機能の他に、偏光板または拡散板の機能を有するものであっても良い。それらの機能のうち一つを有しているものであっても良いし、複数の機能を有しているものであっても良い。具体的には、ポリビニルアルコールを主体に、ヨウ素化合物分子を吸着配向させた偏光板を透明保護フィルム１１として採用することができる。また、セラミック薄板等の拡散板を利用し、光拡散作用によって個々の有機ＥＬパネル５の反射電極の鏡画反射を外部から視認させない機能を透明保護フィルム１１に持たせることができる。
【００２７】
透明保護フィルム１１を表示ユニット４に貼り付ける際には、表示ユニット４の光の出射側の面の異物等を取り除き清浄にした後、表示ユニット４の一方の端部から対向する端部に向かって透明保護フィルム１１を伸ばしながら、気泡が入らないように貼り付ける。
【００２８】
有機ＥＬパネル５の長手方向のサイズは例えば１０ｃｍ程度であり、表示ユニット４全体としてもそれほど大きいものではないため、透明保護フィルム１１の貼り付けは手作業で行うことができる（スキージーを使用しても良い）。表示ユニット４の端部には、所定幅の封止部７があるため、透明保護フィルム１１を貼り付ける際の公差は、封止部７の幅内であれば良い。
【００２９】
以上のように、本実施の形態１によれば、複数の有機ＥＬパネル５を平面的に配列した表示ユニット４を備え、複数の表示ユニット４を平面的に配列して表示部２を構成した大型表示装置１において、各表示ユニット４の光の出射側の面に、該表示ユニット４に含まれる全ての有機ＥＬパネル５に跨る１枚の透明保護フィルム１１を貼り付け、隣り合う有機ＥＬパネル５が透明保護フィルム１１を介して互いに保持し合うようにしたので、有機ＥＬパネル５及び表示ユニット４の機械的強度の向上が図られる。
【００３０】
特に、高解像度の大型表示装置１においては、継ぎ目である非発光部が目立たないように封止部７の幅を狭くした有機ＥＬパネル５が用いられるため、安全性の確保が課題であったが、本実施の形態１によれば、外部からの衝撃により封止部７が損傷した場合でも、透明保護フィルム１１により前面ガラスの剥離を防止することができ、安全性が確保される。
【００３１】
また、透明保護フィルム１１は、各表示ユニット４単位で貼り付けられるため、大型表示装置１の表示部２に対応するような大面積のフィルムである必要がなく、安価で入手可能である。さらに、貼り付け作業は手作業で容易に行うことができ、コストの上昇及び製造工程の煩雑化を抑制しながら、機械的強度の向上を図ることが可能である。
【００３２】
実施の形態２．
図４は、本発明の実施の形態２に係る大型表示装置を構成する表示ユニットを示している。図４中、図３と同一、相当部分には同一符号を付している。上記実施の形態１では、各表示ユニット４の光の出射側の面に、該表示ユニット４に含まれる全ての有機ＥＬパネル５に跨る１枚の透明保護フィルム１１を貼り付けたが、本実施の形態２では、表示ユニット４の光の出射側の面を複数に分割したそれぞれの領域に対し、該領域の幅と同じ幅の透明保護フィルム１１ａ、・・１１ｄ（総称して透明保護フィルム１１）を貼り付けたものである。なお、それ以外の構成については、上記実施の形態１と同様であるので説明を省略する。
【００３３】
本実施の形態２に係る表示ユニット４は、図５に示すように、細長い矩形の有機ＥＬパネル５を該矩形の長辺同士が向き合うように複数配列したものであり、透明保護フィルム１１ａ、１１ｂ、１１ｃ、１１ｄは、有機ＥＬパネル５の長手方向に直交する方向に貼り付けられる。その時、隣り合う領域に貼り付けられる透明保護フィルム１１の継ぎ目を、画素間の非発光部（図５中、Ａで示す画素間ギャップ）に配置することにより、継ぎ目は目立たず、画質への影響は抑制される。なお、画素間ギャップは、封止部７の幅の少なくとも２倍が確保される。
【００３４】
また、上記実施の形態１のように、複数の有機ＥＬパネル５に対して共通の１枚の透明保護フィルム１１を貼る場合、個々の有機ＥＬパネル５の僅かな傾斜や段差により、透明保護フィルム１１と有機ＥＬパネル５間に気泡が入りやすい。このため、本実施の形態２のように、４枚の有機ＥＬパネル５に対して４枚の透明保護フィルム１１ａ、・・１１ｄを、有機ＥＬパネル５の長手方向に直交する方向に貼り付けるようにすることで、個々の透明保護フィルム１１を貼る段階での気泡の侵入が抑制される。
【００３５】
本実施の形態２においても、４枚全ての有機ＥＬパネル５に跨るように透明保護フィルム１１を貼り付けているため、上記実施の形態１と同様に、有機ＥＬパネル５及び表示ユニット４の機械的強度の向上が図られる。さらに、上記実施の形態１よりも幅の小さい小片の透明保護フィルム１１を用いているため、低コストであり、貼り付け作業も容易である。
【００３６】
実施の形態３．
図６は、本発明の実施の形態３に係る大型表示装置を構成する表示ユニットを示している。図６中、図３と同一、相当部分には同一符号を付し、説明を省略する。上記実施の形態１及び実施の形態２では、１枚の透明保護フィルム１１あるいは４枚の透明保護フィルム１１ａ、・・１１ｄを、表示ユニット４に含まれる全ての有機ＥＬパネル５に跨るように貼り付けたが、必ずしも全ての有機ＥＬパネル５に跨る必要はなく、複数のパネルに跨っていれば本発明の効果を奏することができる。
【００３７】
また、上記実施の形態２では、表示ユニット４の光の出射側の面を複数に分割したそれぞれの領域に対し、該領域の幅と同じ幅の透明保護フィルム１１ａ、・・１１ｄを貼り付け、光の出射側の面の全領域を覆うようにしたが、必ずしも全領域を覆わなくても機械的強度の向上を図ることは可能である。本実施の形態３では、４枚の有機ＥＬパネル５ａ、５ｂ、５ｃ、５ｄに対し、それらの３箇所の継ぎ目を覆うように３枚の透明保護フィルム１１ｅ、１１ｆ、１１ｇを貼り付けたものである。
【００３８】
本実施の形態３に係る表示ユニット４は、図７に示すように、細長い矩形の有機ＥＬパネル５を該矩形の長辺同士が向き合うように配列したものであり、透明保護フィルム１１ｅ、１１ｆ、１１ｇは、隣り合う２枚の有機ＥＬパネル５に跨りそれらの継ぎ目を覆うように有機ＥＬパネル５の長手方向に平行な方向に貼り付けられる。
【００３９】
なお、本実施の形態３のように、複数枚の透明保護フィルム１１を有機ＥＬパネル５の長手方向に平行な方向に貼り付ける場合において、表示ユニット４の光の出射側の面の全領域を透明保護フィルム１１で覆うようにしても良い。その時、上記実施の形態２と同様に、隣り合う領域に貼り付けられる透明保護フィルム１１の継ぎ目を、画素間の非発光部に配置することにより、継ぎ目は目立たず、画質への影響は抑制される。
【００４０】
本実施の形態３においても、隣り合う有機ＥＬパネル５に跨りそれらの継ぎ目を覆うように透明保護フィルム１１を貼り付けることにより、有機ＥＬパネル５及び表示ユニット４の機械的強度の向上が図られる。また、隣り合う透明保護フィルム１１の端面同士を突き合わせる必要がないため、上記実施の形態２よりも貼り付け作業が容易である。
【００４１】
以上、上記実施の形態１〜実施の形態３では、平面表示パネルとして有機ＥＬパネル５を用い、４枚の有機ＥＬパネル５から表示ユニット４を構成したが、本発明はこれに限定されるものではない。平面表示パネルとしては、有機ＥＬパネルの他、液晶表示パネルや他の表示デバイスを使用しても良い。また、表示ユニット４を構成する平面表示パネルの枚数は、特に限定されるものではなく、その配列方法も、縦方向、横方向または格子状等、任意に配列することができる。本発明は、その発明の範囲内において、各実施の形態を自由に組み合わせたり、各実施の形態を適宜、変形、省略したりすることが可能である。
【産業上の利用可能性】
【００４２】
本発明は、複数の有機ＥＬパネルを平面的に配列した表示ユニットを備えた大型表示装置に利用することができる。
【符号の説明】
【００４３】
１  大型表示装置、２  表示部、３  フレーム、４  表示ユニット、
５、５ａ、５ｂ、５ｃ、５ｄ  有機ＥＬパネル（平面表示パネル）、
６  画素、７  封止部、８  ＦＰＣ、９  板材、１０  駆動回路基板、
１１、１１ａ、１１ｂ、１１ｃ、１１ｄ、１１ｅ、１１ｆ、１１ｇ  透明保護フィルム。
【図２】
2014157206.tif 000003
【図３】
2014157206.tif 000004
【図４】
2014157206.tif 000005
【図５】
2014157206.tif 000006
【図６】
2014157206.tif 000007
【図７】
2014157206.tif 000008
【図１】
2014157206.tif 000009